(57)【特許請求の範囲】
【請求項１】
画像情報が入力される入力部と、前記入力部から入力された画像情報を処理する制御部と、前記制御部で処理された画像情報に基づいて用紙に画像を形成する出力部とを有する画像形成装置において、
前記制御部は、
後処理すべき用紙の用紙厚種別及び枚数と後処理の処理種別とに関する情報を取得し、前記用紙厚種別に対応する用紙厚及び前記枚数から処理量を算出し、該処理量及び前記処理種別に適した後処理装置と該後処理装置による処理位置とを示す目印を予め登録されたリストの中から選択して前記出力部に与え、前記画像とともに用紙に前記目印を形成させることを特徴とする画像形成装置。
【請求項２】
画像情報が入力される入力部と、前記入力部から入力された画像情報を処理する制御部と、前記制御部で処理された画像情報に基づいて用紙に画像を形成する出力部とを有する画像形成装置において、
前記用紙の用紙厚種別と前記各用紙厚種別に対応する用紙厚とを記憶し、前記後処理の処理種別と前記後処理を行なう前記用紙の処理量との組合せに対応して前記後処理に使用すべき後処理装置及び後処理位置を示す目印を記憶する記憶部を備え、
前記制御部には、
後処理すべき用紙の用紙厚種別及び枚数と、後処理の処理種別とに関する各情報が入力され、
前記制御部は、
入力された前記用紙厚種別に対応する前記用紙厚を前記記憶部から取得し、
入力された前記枚数と前記記憶部から取得した前記用紙厚の積を演算して処理量とし、
入力された前記処理種別と演算した前記処理量の組合せに対応する前記目印を前記記憶部から取得し、
前記記憶部から取得した前記目印の情報を前記出力部に与え、前記画像とともに用紙に前記目印を形成させることを特徴とする画像形成装置。
【請求項３】
画像情報が入力される入力部と、前記入力部から入力された画像情報を処理する制御部と、前記制御部で処理された画像情報に基づいて用紙に画像を形成する出力部とを有する画像形成装置において、
前記用紙の用紙厚種別と前記各用紙厚種別に対応する用紙厚とを記憶し、前記用紙の用紙サイズ種別と前記各用紙サイズ種別に対応する用紙のサイズとを記憶し、前記後処理の処理種別と前記後処理を行なう前記用紙の処理量との組合せに対応して前記後処理に使用すべき後処理装置及び後処理位置を示す目印を記憶する記憶部を備え、
前記制御部には、
後処理すべき用紙の用紙厚種別、枚数及び用紙サイズ種別と、後処理の処理種別と、後処理の処理位置とに関する各情報が入力され、
前記制御部は、
入力された前記用紙厚種別に対応する前記用紙厚を前記記憶部から取得し、
入力された前記枚数と前記記憶部から取得した前記用紙厚の積を演算して処理量とし、
入力された前記処理種別と演算された前記処理量の組合せに対応する前記目印を前記記憶部から取得し、
入力された前記用紙サイズ種別に対応する前記サイズを前記記憶部から取得し、
入力された前記処理位置と前記記憶部から取得した前記サイズによって用紙における前記目印の形成位置を演算し、
前記記憶部から取得した前記目印の情報と、前記目印の形成位置の情報とを前記出力部に与え、前記画像とともに用紙に前記目印を形成させることを特徴とする画像形成装置。
【請求項４】
前記用紙厚は、前記用紙厚種別の中の一つの種類の用紙の厚さを基準とした比率で表されることを特徴とする請求項１乃至３のいずれか一つに記載の画像形成装置。
【請求項５】
前記サイズは、用紙の幅と長さで表されることを特徴とする請求項１乃至４のいずれか一つに記載の画像形成装置。
【請求項６】
前記後処理の処理種別は、穴数が複数種類である複数種類のパンチ処理と、箇所数が複数種類である複数種類のステープル処理と、裁断処理とから構成される処理種別の群から選択される２以上の処理種別であることを特徴とする請求項１乃至５のいずれか一つに記載の画像形成装置。
【発明の詳細な説明】
【技術分野】
【０００１】
本発明は、用紙に画像を形成するとともに、画像が形成された用紙にパンチ処理やステープル処理等の後処理を施す際の処理位置の目安となる目印を形成できる画像形成装置に関するものである。
【背景技術】
【０００２】
画像形成装置で用紙に画像を形成した後、当該用紙にパンチ処理、ステープル処理、裁断処理等の後処理を施す場合があり、そのような場合には当該後処理を施すべき位置（例えばパンチ位置、ステープル位置、裁断位置等）を用紙に明示すると便利である。
下記特許文献１にて開示された発明は、このような目的で、用紙に画像形成すると同時に後処理の処理位置の目安となる目印を印刷できるようにしたものであって、具体的には文字や画像などを印刷するパーソナルコンピュータやプリンタ等において、プリンタから排出された用紙のパンチング処理を容易にできるようにしたものである。この発明では、パンチング処理をする際に必要となるセンタ目印を容易に作成し、パンチング作業を迅速に行なうことができるようにすることを課題としており、パーソナルコンピュータで入力された情報を印刷手段へ出力する場合、印刷される用紙の縁部中央位置を示す目印情報を、入力された文書情報などとともに前記印刷手段へ出力することができる。また、この際このような目印を複数の選択肢の中から選択可能としており、印刷される文書スタイルに適合した目印を印刷することができる。
【特許文献１】特開２００２−２４０３８８号公報
【発明の開示】
【発明が解決しようとする課題】
【０００３】
画像形成装置で用紙に画像を形成した後、当該用紙にパンチ処理、ステープル処理、裁断処理等の後処理を施すために、例えば特許文献１に記載の発明等を用いて、当該後処理を施すべき位置（例えばパンチ位置）を用紙に明示した場合であっても、行なおうとする後処理の処理種別に対応した使用可能な手持ちの複数の処理装置の中から、実際にどの処理装置を選択して使用するかは、使用者の経験や勘に頼っているのが現状である。
【０００４】
例えば、画像形成した用紙をパンチ処理する場合、手持ちの使用可能なパンチ装置として、一つ穴形成用の装置と、貫通力が比較的弱い小型の二つ穴形成用の装置と、貫通力が比較的強い大型の二つ穴形成用の装置の合計３台を所有しており、画像を形成した複数枚の用紙に２つのパンチ穴を形成するには、用紙の枚数に応じてどの装置を使用するかが問題になる。
【０００５】
すなわち、用紙の処理枚数が選定した装置の処理能力を越えてしまうと、用紙のパンチ処理に不良が発生したり、装置に故障が発生する恐れがある。また、用紙の処理枚数が少ないのに、大型の装置を使用するのは使い勝手に問題があり、素早く処理できないことも考えられる。
【０００６】
また、画像が形成された用紙の製作者以外の者が、当該製作者の意図する後処理を行なう場合には、画像と処理位置の目印が形成された用紙を見ただけでは、使用すべき処理装置の種類はもちろん、そもそも処理方法の判断ができないという問題もある。つまり、画像が形成された用紙の特定位置に後処理すべき箇所が印刷されていたとしても、その後処理がパンチなのか、ステープルなのかは、当該用紙に画像を形成した製作者にしか分からないし、使用に供すべき最適な装置の種類も不明である。
【０００７】
そこで本発明は、画像形成装置で用紙に画像を形成した後、当該用紙にパンチ処理等の後処理を施す場合において、後処理において使用すべき処理装置の選定に関して経験や勘に頼る必要がなく、例え画像形成者が意図する後処理の種類を知らなくても、使用すべき処理装置を判断することができるように、用紙に対して画像形成を行なうだけでなく、用紙の所望位置に所望の後処理を適切な状態で速やかに施すためのマーキングをすることができる画像形成装置を提供することを目的としている。
【課題を解決するための手段】
【０００８】
請求項１に記載された画像形成装置は、
画像情報が入力される入力部と、前記入力部から入力された画像情報を処理する制御部と、前記制御部で処理された画像情報に基づいて用紙に画像を形成する出力部とを有する画像形成装置において、
前記制御部は、
後処理すべき用紙の用紙厚種別及び枚数と後処理の処理種別とに関する情報を取得し、前記用紙厚種別に対応する用紙厚及び前記枚数から処理量を算出し、該処理量及び前記処理種別に適した後処理装置と該後処理装置による処理位置とを示す目印を予め登録されたリストの中から選択して前記出力部に与え、前記画像とともに用紙に前記目印を形成させることを特徴としている。
【０００９】
請求項２に記載された画像形成装置は、
画像情報が入力される入力部と、前記入力部から入力された画像情報を処理する制御部と、前記制御部で処理された画像情報に基づいて用紙に画像を形成する出力部とを有する画像形成装置において、
前記用紙の用紙厚種別と前記各用紙厚種別に対応する用紙厚とを記憶し、前記後処理の処理種別と前記後処理を行なう前記用紙の処理量との組合せに対応して前記後処理に使用すべき後処理装置及び後処理位置を示す目印を記憶する記憶部を備え、
前記制御部には、
後処理すべき用紙の用紙厚種別及び枚数と、後処理の処理種別とに関する各情報が入力され、
前記制御部は、
入力された前記用紙厚種別に対応する前記用紙厚を前記記憶部から取得し、
入力された前記枚数と前記記憶部から取得した前記用紙厚の積を演算して処理量とし、
入力された前記処理種別と演算した前記処理量の組合せに対応する前記目印を前記記憶部から取得し、
前記記憶部から取得した前記目印の情報を前記出力部に与え、前記画像とともに用紙に前記目印を形成させることを特徴としている。
【００１０】
請求項３に記載された画像形成装置は、
画像情報が入力される入力部と、前記入力部から入力された画像情報を処理する制御部と、前記制御部で処理された画像情報に基づいて用紙に画像を形成する出力部とを有する画像形成装置において、
前記用紙の用紙厚種別と前記各用紙厚種別に対応する用紙厚とを記憶し、前記用紙の用紙サイズ種別と前記各用紙サイズ種別に対応する用紙のサイズとを記憶し、前記後処理の処理種別と前記後処理を行なう前記用紙の処理量との組合せに対応して前記後処理に使用すべき後処理装置及び後処理位置を示す目印を記憶する記憶部を備え、
前記制御部には、
後処理すべき用紙の用紙厚種別、枚数及び用紙サイズ種別と、後処理の処理種別と、後処理の処理位置とに関する各情報が入力され、
前記制御部は、
入力された前記用紙厚種別に対応する前記用紙厚を前記記憶部から取得し、
入力された前記枚数と前記記憶部から取得した前記用紙厚の積を演算して処理量とし、
入力された前記処理種別と演算された前記処理量の組合せに対応する前記目印を前記記憶部から取得し、
入力された前記用紙サイズ種別に対応する前記サイズを前記記憶部から取得し、
入力された前記処理位置と前記記憶部から取得した前記サイズによって用紙における前記目印の形成位置を演算し、
前記記憶部から取得した前記目印の情報と、前記目印の形成位置の情報とを前記出力部に与え、前記画像とともに用紙に前記目印を形成させることを特徴としている。
【００１１】
請求項４に記載された画像形成装置は、請求項１乃至３のいずれか一つに記載の画像形成装置において、
前記用紙厚は、前記用紙厚種別の中の一つの種類の用紙の厚さを基準とした比率で表されることを特徴としている。
【００１２】
請求項５に記載された画像形成装置は、請求項１乃至４のいずれか一つに記載の画像形成装置において、
前記サイズは、用紙の幅と長さで表されることを特徴としている。
【００１３】
請求項６に記載された画像形成装置は、請求項１乃至５のいずれか一つに記載の画像形成装置において、
前記後処理の処理種別は、穴数が複数種類である複数種類のパンチ処理と、箇所数が複数種類である複数種類のステープル処理と、裁断処理とから構成される処理種別の群から選択される２以上の処理種別であることを特徴としている。
【発明の効果】
【００１４】
請求項１乃至２に記載された画像形成装置によれば、
画像情報を処理する制御部は、後処理すべき用紙の用紙厚種別及び枚数と後処理の処理種別とに関する情報を取得し、前記用紙厚種別に対応する用紙厚及び前記枚数から処理量を算出し、該処理量及び前記処理種別に適した後処理装置と該後処理装置による処理位置とを示す目印を予め登録されたリストの中から選択して出力部に与え、画像とともに用紙に目印を形成させることができる。
【００１５】
請求項３に記載された画像形成装置によれば、
前記制御部は、後処理すべき用紙の用紙厚種別、枚数及び用紙サイズ種別と、後処理の処理種別と、後処理の処理位置とに関する各情報を入力され、さらに、入力された前記用紙厚種別に対応する前記用紙厚を前記記憶部から取得し、入力された前記枚数と前記記憶部から取得した前記用紙厚の積を演算して処理量とし、入力された前記処理種別と演算された前記処理量の組合せに対応する前記目印を前記記憶部から取得し、入力された前記用紙サイズ種別に対応する前記サイズを前記記憶部から取得し、入力された前記処理位置と前記記憶部から取得した前記サイズによって用紙における前記目印の形成位置を演算し、前記記憶部から取得した前記目印の情報と、前記目印の形成位置の情報とを前記出力部に与え、前記画像とともに用紙に前記目印を形成させることができる。
【００１６】
請求項４に記載された画像形成装置によれば、請求項１乃至３のいずれか一つに記載の画像形成装置において、前記用紙厚を、前記用紙厚種別の中の一つ種類の用紙の厚さを基準とした比率で表すことができる。
【００１７】
請求項５に記載された画像形成装置によれば、請求項１乃至４のいずれか一つに記載の画像形成装置において、前記サイズを、用紙の幅と長さで表すことができる。
【００１８】
請求項６に記載された画像形成装置によれば、請求項１乃至５のいずれか一つに記載の画像形成装置において、前記後処理の処理種別を、穴数が複数種類である複数種類のパンチ処理と、箇所数が複数種類である複数種類のステープル処理と、裁断処理とから構成される処理種別の群から選択される２以上の処理種別とすることにより、多様な種別の後処理を選択肢に含めて多様な用途に対応することができる。
【発明を実施するための最良の形態】
【００１９】
以下、本発明を実施するために特許出願人が出願時点で最良と思う本発明の実施の形態を図１〜図１４を参照して説明する。
図１は第１実施形態の画像形成装置のブロック図、図２は第１実施形態における処理対象情報を示す一覧図、図３は第１実施形態の画像形成装置の記憶部に格納される用紙厚情報テーブルを示す図、図４は第１実施形態の画像形成装置の記憶部に格納される用紙サイズ情報テーブルを示す図、図５は第１実施形態の画像形成装置の記憶部に格納されるパターンテーブル（処理装置情報テーブル）を示す図、図６は第１実施形態におけるパターンの種類を示す図、図７は第１実施形態で画像形成された用紙に対して使用が予定される処理装置のプロフィールを示す一覧図、図８は第１実施形態におけるユーザ入力情報と処理結果と選択されるパターン種類を示す図、図９は第１実施形態における情報の処理手順を示す流れ図である。
図１０は第２実施形態におけるユーザ入力情報と処理結果と選択されるパターン種類を示す図、図１１は第３実施形態におけるユーザ入力情報と処理結果と選択されるパターン種類を示す図、図１２は第４実施形態におけるユーザ入力情報と処理結果と選択されるパターン種類を示す図、図１３は第５実施形態におけるユーザ入力情報と処理結果と選択されるパターン種類を示す図、図１４は第６実施形態におけるユーザ入力情報と処理結果と選択されるパターン種類を示す図である。
【００２０】
（１）第１実施形態（図１〜図９）
まず、本例の画像形成装置の構成を説明する。
本例の画像形成装置は、入力された画像情報に基づいて用紙に画像を形成するとともに、画像形成された用紙に対して行うべき後処理の種類、使用すべき処理装置の種別、後処理を施すべき位置を表した目印を、前記画像とともに用紙に形成する機能を備えた画像形成装置である。
図１のブロック図に示すように、本例の画像形成装置は、各種制御情報等や画像情報を入力するための入力部１と、制御に必要な各種情報を格納する記憶部２と、入力部１で入力された画像情報の処理を行なうとともに、入力部１で入力された後処理に関する情報及び記憶部２の情報を用いて後処理の目印を選定処理する等、各種情報の処理を統括的に行う制御部３と、制御部３で処理された情報に基づいて用紙に画像を形成する出力部４とを有している。
【００２１】
入力部１は、本装置を操作するために各種制御情報等を入力するためのタッチパネル５を備えている。タッチパネル５から使用者のキー操作によって入力される情報としては、画像を形成された後に後処理される処理対象としての用紙に関する情報がある。図２に示すように、処理対象情報としては、後処理の処理種別（２穴パンチ、３穴パンチ、２箇所ステープル、裁断等）と、後処理を行なう用紙内の処理位置（用紙の上、下、右、左、左上等）、後処理すべき用紙の枚数、後処理すべき用紙の厚さ別の種類である用紙厚種別（普通紙、マット紙、葉書等）、後処理すべき用紙の用紙サイズ（Ａ３、Ａ４、Ｂ４、Ｂ５）等がある。また、入力部１は、図示しない原稿台に置かれた原稿を読み取り、その画像を画像情報として出力するスキャナ６を備えている。なお、前記処理対象情報のうち、用紙サイズは、スキャナ６によって読み取られた原稿の画像情報から自動的に取得するものとしてもよい。これら入力部１から入力される情報は、後述する制御部３に読み込まれる。
【００２２】
記憶部２は、画像を形成した用紙に後処理を施すための目安となる目印を当該用紙に形成するために必要な各種情報が予め設定・記憶されている部分である。記憶部２中、第１の記憶手段としての用紙厚テーブル７は、図３に示すように、用紙の用紙厚種別と各用紙厚種別に対応する用紙厚とが一対一で対応するようにテーブル形式で記憶されている。また記憶部２中、第２の記憶手段としての用紙サイズテーブル８は、図４に示すように、用紙の用紙サイズ種別と各用紙サイズ種別に対応する用紙のサイズである幅×長さの情報とが一対一で対応するようにテーブル形式で記憶されている。また記憶部２中、第３の記憶手段としての処理装置テーブル９（パターンテーブル）は、図５に示すように、後処理の処理種別と後処理を行なう用紙の処理量との組合せに対応して、後処理に使用すべき処理装置及び後処理位置を示す目印パターンとが、一対一で対応するようにテーブル形式で記憶されている。
【００２３】
なお、この図５では、第３の記憶手段においてテーブル形式で記憶された情報のうち、特に目印パターンの情報は処理装置の情報をも含めたものとして設定されているので、目印パターンに対応する処理装置についての情報そのものを処理装置テーブル９内に独立の項目として記憶させておく必要はない。図５において、「処理装置」の部分をその他の情報と別枠で表示したのは、このように処理装置テーブル９には処理装置についての情報が独立の項目としては記憶されていないが、各目印パターンがそれぞれ特定の処理装置に対応していることを示すためである。
【００２４】
図６は、図５に示した目印パターン１〜１２の内容を示したものである。これらの目印パターン中、パターン１〜６は、三角形の目印で２穴又は３穴のパンチ位置を表すとともに、三角形の色乃至模様とＡ〜Ｅの文字によって処理装置であるパンチ装置の種類を表している。パターン７〜１０は、短線が書き込まれた丸の目印で１箇所又は２箇所のステープル位置を表すとともに、丸の色乃至模様とＦ〜Ｈの文字によって処理装置であるステープル装置の種類を表している。パターン１１〜１２は、破線で裁断位置を表すとともに、破線の中央に書き込まれた破線の丸の目印中にあるＩ又はＪの文字によって処理装置である裁断装置の種類を表している。
【００２５】
図７（ａ）は、本画像形成装置によって画像が形成された用紙に対し、画像形成後に実行が予定されている後処理に使用するための処理装置Ａ〜Ｊのプロフィールを示している。プロフィールには、可能処理種別と、普通紙に換算した場合の枚数で示す許容処理が含まれる。また図７（ｂ）は、図７（ａ）に示した各処理装置Ａ〜Ｊの形式（装置の簡単な説明）を示している。図５に示したパターンテーブルにおける処理種別と処理量の組合せに対応した処理装置の使い分けは、この図７に示した各処理装置のプロフィールを元にして定めたものである。
【００２６】
制御部３は、前記入力部１のタッチパネル５から入力された各種制御情報等と、スキャナ６から入力された画像情報と、前記記憶部２から読み出した情報等とに基づいて、用紙に画像を形成するための制御と、同用紙に後処理を行なう際に後処理位置と使用する装置の種類を示す目印を形成するための制御等を行なうものであって、画像形成に係る上記制御を含めた装置の全体的な制御を統括的に行うための制御手段１０を有している。
【００２７】
具体的には、制御手段１０はスキャナ６から画像情報を取り込み、画像処理手段１１に当該画像情報を処理させて後述する出力部４に出力させ、スキャナ６で読み込んだ原稿の画像を用紙に形成させる。
【００２８】
また、制御手段１０は、基準値換算手段１２に、本例における基準紙である普通紙に換算した場合の枚数を処理量として算出させる。すなわち、基準値換算手段１２は、制御手段１０によって制御され、タッチパネル５から入力された用紙厚種別と記憶部２の用紙厚テーブル７（図３）とによって厚係数を求め、タッチパネル５から入力された処理枚数と前記厚係数との積を演算して処理量を求める。
【００２９】
制御手段１０は、目印選定手段１３に、本例で画像形成に使用される用紙において処理位置を示すとともに特定の処理装置を表す目印パターンを決定させる。すなわち、目印選定手段１３は、制御手段１０によって制御され、タッチパネル５から入力された処理種別と基準値換算手段１２が算出した処理量（普通紙に換算した処理枚数）に基づき、記憶部２の処理装置テーブル９（図５）によって目印パターン（特定の処理装置と、その処理装置によって処理される位置とを示す印）を特定する。さらに、目印選定手段１３は、特定した目印パターンの情報を、タッチパネル５から入力された処理位置に合わせて必要に応じて回転させることにより、画像形成時に目印パターンの向きが処理位置に適応するようにすることができる。
【００３０】
制御手段１０は、目印位置決定手段１４に、本例で画像形成に使用される用紙において処理位置を示す目印を形成する位置を決定させる。すなわち、目印位置決定手段１４は、制御手段１０によって制御され、タッチパネル５から入力された用紙の用紙サイズ種別と記憶部２の用紙サイズテーブル８（図４）から用紙のサイズである幅×長さの情報を特定し、幅×長さの情報と、さらにタッチパネル５から入力された処理位置とに基づいて、用紙の処理位置に対応した目印パターンの位置を演算する。具体的には、処理位置が左、右、横のいずれかの場合は、用紙の長さの半分の位置とし、処理位置が上、下、縦のいずれかの場合は、用紙幅の半分の位置とする。
【００３１】
制御手段１０は、処理装置テーブル９（パターンテーブル、図５）に記憶している内容を変更し、又は新たに登録するための処理装置登録手段１５を有している。
【００３２】
出力部４は、画像処理部からの画像情報及び目印パターンの情報に基づき、スキャナ６で読み込んだ原稿の画像を用紙に形成するとともに、同用紙の所定位置に、指定した処理対象情報に基づいた後処理の処理位置等を示す目印パターンを画像形成する。出力部４の画像形成原理は問わない。
【００３３】
次に、本例の画像形成装置を用いて実際に画像形成を行う際に、処理対象情報を指定した場合において、実際にどのような目印パターンが選定されるかについて、さらに具体的な例を挙げて説明する。
図８に示すように、この例でタッチパネル５から使用者が入力する処理対象情報（ユーザ入力情報）としては、処理種別は「２穴パンチ」、処理位置は「左」、処理枚数は「３枚」、紙質（用紙厚種別）は「マット紙」、用紙サイズは「Ａ４」である。
かかる処理対象情報（ユーザ入力情報）に基づいて、画像形成装置が、目印パターン及びその形成位置を決定して用紙に印刷する工程を図９等を参照して説明する。
【００３４】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００３５】
さらにタッチパネル５から入力された処理枚数と前記厚係数との積を演算して処理量を求める（Ｓ２）。この際、処理枚数と前記厚係数との積の小数点以下の取り扱いは任意に決定できるが、安全側の数値を取る目的で切り上げるものとしてもよい。
本例では、厚係数は１．３、処理枚数は３枚であるから処理量は１．３×３＝３．９（繰り上げた場合には４）となる。
【００３６】
制御手段１０において、目印選定手段１３は制御手段１０に制御され、タッチパネル５から入力された処理種別（２穴パンチ）と基準値換算手段１２が算出した処理量（４枚）に基づき、記憶部２の処理装置テーブル９（図５）によって目印パターン１（処理装置は装置Ａ）を特定する（Ｓ３）。
【００３７】
さらに、目印選定手段１３は、特定した目印パターンの情報を、タッチパネル５から入力された処理位置に合わせて必要に応じて回転させることにより、画像形成時に目印パターンの向きを処理位置に適応させることができる。
【００３８】
制御手段１０において、目印位置決定手段１４は制御手段１０に制御され、タッチパネル５から入力された用紙の用紙サイズ種別（Ａ４）と記憶部２の用紙サイズテーブル８（図４）から用紙のサイズである幅×長さの情報、２１０ｍｍ×２９７ｍｍを特定する（Ｓ４）。
【００３９】
この情報と、さらにタッチパネル５から入力された処理位置（左）とに基づいて、処理位置であるＡ４の用紙の左縁において、用紙長さ２９７ｍｍの半分の位置を目印パターンの位置として算出する（Ｓ５）。
【００４０】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００４１】
画像形成装置から排出された用紙には、読み込んだ原稿の画像が形成されている他、後に行うべき後処理の内容に基づいた目印が適当な位置に形成されている。本例では、Ａ４の用紙の左側の縁辺の中央に、図８に示すパターン種類の図又は図６に示すパターン１の目印が形成されているので、目印の三角の位置を装置Ａを用いてパンチすればよいことが分かる。すなわち、１穴用のパンチである装置Ａを２回使って目印である２つの三角の位置にそれぞれパンチ穴を形成すればよい。これは、ユーザ情報を入力して画像形成を行った本人でなくとも、画像形成された用紙を見れば、指示された後処理の内容を理解することができる。
【００４２】
以上説明したように、本例によれば、画像形成装置で用紙に画像を形成した後、当該用紙にパンチ処理等の後処理を施す場合において、予め後処理の条件とこれに最適な装置の組合せを定めておけば、後処理に使用すべき処理装置の選定に関して経験や勘に頼る必要がない。また、画像形成者が意図する後処理の種類乃至後実際に使用すべき装置を、後処理を実際に行う者が知らなくても、マーキングされた目印に従って正しく判断することができる。
【００４３】
次に説明する第２乃至第６実施形態は、第１実施形態と同一の画像形成装置において、異なる処理対象情報（ユーザ入力情報）を入力して画像形成を行う場合の他の具体例である。従って、画像形成装置の構成に関して第１実施形態と重複する部分は説明を適宜省略し、画像形成装置の制御部３における情報の処理手順（図９参照）及び結果と、その結果選定された目印パターンについて説明する。
【００４４】
（２）第２実施形態（図１０）
図１０に示すように、タッチパネル５から使用者が入力する処理対象情報（ユーザ入力情報）としては、処理種別は「３穴パンチ」、処理位置は「左」、処理枚数は「８枚」、紙質（用紙厚種別）は「普通紙」、用紙サイズは「Ａ３」である。
【００４５】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００４６】
さらにタッチパネル５から入力された処理枚数と前記厚係数との積を演算して処理量を求める（Ｓ２）。本例では、厚係数は１．０、処理枚数は８枚であるから処理量は１．０×８＝８．０となる。
【００４７】
制御手段１０において、目印選定手段１３は制御手段１０に制御され、タッチパネル５から入力された処理種別（３穴パンチ）と基準値換算手段１２が算出した処理量（８枚）に基づき、記憶部２の処理装置テーブル９（図５）によって目印パターン５（処理装置は装置Ｄ）を特定する（Ｓ３）。
【００４８】
制御手段１０において、目印位置決定手段１４は制御手段１０に制御され、タッチパネル５から入力された用紙の用紙サイズ種別（Ａ３）と記憶部２の用紙サイズテーブル８（図４）から用紙のサイズである幅×長さの情報、２９７ｍｍ×４２０ｍｍを特定する（Ｓ４）。
【００４９】
この情報と、さらにタッチパネル５から入力された処理位置（左）とに基づいて、処理位置であるＡ３の用紙の左縁において、用紙長さ４２０ｍｍの半分の位置を目印パターンの位置として算出する（Ｓ５）。
【００５０】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００５１】
画像形成装置から排出された用紙には、読み込んだ原稿の画像が形成されている他、後に行うべき後処理の内容に基づいた目印が適当な位置に形成されている。本例では、Ａ３の用紙の左側の縁辺の中央に、図１０に示すパターン種類の図又は図６に示すパターン５の目印が形成されているので、目印の三角の位置を装置Ｄを用いてパンチすればよいことが分かる。すなわち、３穴用の小さなパンチである装置Ｄを１回使って目印である３つの三角の位置にそれぞれパンチ穴を形成すればよい。これは、ユーザ情報を入力して画像形成を行った本人でなくとも、画像形成された用紙を見れば、指示された後処理の内容を理解することができる。
【００５２】
（３）第３実施形態（図１１）
図１１に示すように、タッチパネル５から使用者が入力する処理対象情報（ユーザ入力情報）としては、処理種別は「２穴パンチ」、処理位置は「右」、処理枚数は「１５枚」、紙質（用紙厚種別）は「普通紙」、用紙サイズは「Ａ４」である。
【００５３】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００５４】
さらにタッチパネル５から入力された処理枚数と前記厚係数との積を演算して処理量を求める（Ｓ２）。本例では、厚係数は１．０、処理枚数は１５枚であるから処理量は１．０×１５＝１５となる。
【００５５】
制御手段１０において、目印選定手段１３は制御手段１０に制御され、タッチパネル５から入力された処理種別（２穴パンチ）と基準値換算手段１２が算出した処理量（１５枚）に基づき、記憶部２の処理装置テーブル９（図５）によって目印パターン３（処理装置は装置Ｃ）を特定する（Ｓ３）。
【００５６】
さらに、目印選定手段１３は、特定した目印パターン３の情報を、タッチパネル５から入力された処理位置である右に合わせて回転させることにより、画像形成時に目印パターンの向きが処理位置に適応するようにしておく。
【００５７】
制御手段１０において、目印位置決定手段１４は制御手段１０に制御され、タッチパネル５から入力された用紙の用紙サイズ種別（Ａ４）と記憶部２の用紙サイズテーブル８（図４）から用紙のサイズである幅×長さの情報、２１０ｍｍ×２９７ｍｍを特定する（Ｓ４）。
【００５８】
この情報と、さらにタッチパネル５から入力された処理位置（右）とに基づいて、処理位置であるＡ４の用紙の右縁において、用紙長さ２９７ｍｍの半分の位置を目印パターンの位置として算出する（Ｓ５）。
【００５９】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００６０】
画像形成装置から排出された用紙には、読み込んだ原稿の画像が形成されている他、後に行うべき後処理の内容に基づいた目印が適当な位置に形成されている。本例では、Ａ４の用紙の右側の縁辺の中央に、図６に示すパターン３を１８０度回転させた図１１に示すパターン種類の目印が形成されているので、この目印の三角の位置を装置Ｃを用いてパンチすればよいことが分かる。すなわち、２穴用の大きなパンチである装置Ｃを１回使って目印である２つの三角の位置にそれぞれパンチ穴を形成すればよい。これは、ユーザ情報を入力して画像形成を行った本人でなくとも、画像形成された用紙を見れば、指示された後処理の内容を理解することができる。
【００６１】
（４）第４実施形態（図１２）
図１２に示すように、タッチパネル５から使用者が入力する処理対象情報（ユーザ入力情報）としては、処理種別は「２箇所ステープル」、処理位置は「左」、処理枚数は「５枚」、紙質（用紙厚種別）は「マット紙」、用紙サイズは「Ａ４」である。
【００６２】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００６３】
さらにタッチパネル５から入力された処理枚数と前記厚係数との積を演算して処理量を求める（Ｓ２）。本例では、厚係数は１．３、処理枚数は５枚であるから処理量は１．３×５＝６．５となる。
【００６４】
制御手段１０において、目印選定手段１３は制御手段１０に制御され、タッチパネル５から入力された処理種別（２箇所ステープル）と基準値換算手段１２が算出した処理量（６．５枚）に基づき、記憶部２の処理装置テーブル９（図５）によって目印パターン９（処理装置は装置Ｈ）を特定する（Ｓ３）。
【００６５】
制御手段１０において、目印位置決定手段１４は制御手段１０に制御され、タッチパネル５から入力された用紙の用紙サイズ種別（Ａ４）と記憶部２の用紙サイズテーブル８（図４）から用紙のサイズである幅×長さの情報、２１０ｍｍ×２９７ｍｍを特定する（Ｓ４）。
【００６６】
この情報と、さらにタッチパネル５から入力された処理位置（左）とに基づいて、処理位置であるＡ４の用紙の左縁において、用紙長さ２９７ｍｍの半分の位置を目印パターンの位置として算出する（Ｓ５）。
【００６７】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００６８】
画像形成装置から排出された用紙には、読み込んだ原稿の画像が形成されている他、後に行うべき後処理の内容に基づいた目印が適当な位置に形成されている。本例では、Ａ４の用紙の左側の縁辺の中央に、図１２のパターン種類の図又は図６に示すパターン９の目印が形成されているので、目印の丸印内の直線の位置を装置Ｈを用いてステープルを行なえばよいことが分かる。すなわち、２箇所用のステープル装置である装置Ｈを１回使って目印である２つの丸印内の直線の位置にそれぞれステープルを行なえばよい。これは、ユーザ情報を入力して画像形成を行った本人でなくとも、画像形成された用紙を見れば、指示された後処理の内容を理解することができる。
【００６９】
（５）第５実施形態（図１３）
図１３に示すように、タッチパネル５から使用者が入力する処理対象情報（ユーザ入力情報）としては、処理種別は「２箇所ステープル」、処理位置は「上」、処理枚数は「２０枚」、紙質（用紙厚種別）は「普通紙」、用紙サイズは「Ａ４」である。
【００７０】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００７１】
さらにタッチパネル５から入力された処理枚数と前記厚係数との積を演算して処理量を求める（Ｓ２）。本例では、厚係数は１．０、処理枚数は２０枚であるから処理量は１．０×２０＝２０となる。
【００７２】
制御手段１０において、目印選定手段１３は制御手段１０に制御され、タッチパネル５から入力された処理種別（２箇所ステープル）と基準値換算手段１２が算出した処理量（２０枚）に基づき、記憶部２の処理装置テーブル９（図５）によって目印パターン１０（処理装置は装置Ｇ）を特定する（Ｓ３）。
【００７３】
さらに、目印選定手段１３は、特定した目印パターン１０の情報を、タッチパネル５から入力された処理位置である上に合わせて回転させることにより、画像形成時に目印パターンの向きが処理位置に適応するようにしておく。
【００７４】
制御手段１０において、目印位置決定手段１４は制御手段１０に制御され、タッチパネル５から入力された用紙の用紙サイズ種別（Ａ４）と記憶部２の用紙サイズテーブル８（図４）から用紙のサイズである幅×長さの情報、２１０ｍｍ×２９７ｍｍを特定する（Ｓ４）。
【００７５】
この情報と、さらにタッチパネル５から入力された処理位置（上）とに基づいて、処理位置であるＡ４の用紙の上縁において、用紙長さ２１０ｍｍの半分の位置を目印パターンの位置として算出する（Ｓ５）。
【００７６】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００７７】
画像形成装置から排出された用紙には、読み込んだ原稿の画像が形成されている他、後に行うべき後処理の内容に基づいた目印が適当な位置に形成されている。本例では、Ａ４の用紙の上側の縁辺の中央に、図６に示すパターン１０を９０度回転させた図１３のパターン種類に示す目印が形成されているので、この目印の丸印内の直線の位置を装置Ｇを用いてステープルすればよいことが分かる。すなわち、１箇所用の業務用の大きなステープル装置である装置Ｇを２回使って目印である２つの丸印内の直線の位置をそれぞれステープルすればよい。これは、ユーザ情報を入力して画像形成を行った本人でなくとも、画像形成された用紙を見れば、指示された後処理の内容を理解することができる。
【００７８】
（６）第５実施形態（図１４）
図１４に示すように、タッチパネル５から使用者が入力する処理対象情報（ユーザ入力情報）としては、処理種別は「裁断」、処理位置は「中央・横」、処理枚数は「９枚」、紙質（用紙厚種別）は「マット紙」、用紙サイズは「Ａ４」である。
【００７９】
使用者が処理対象情報（ユーザ入力情報）を入力すると、制御部３によって必要な情報処理が開始される。制御部３において、基準値換算手段１２は制御手段１０に制御され、タッチパネル５から入力された用紙厚種別と記憶部２の用紙厚テーブル７（図３）とによって厚係数を求める（Ｓ１）。
【００８０】
さらにタッチパネル５から入力された処理枚数と前記厚係数との積を演算して処理量を求める（Ｓ２）。本例では、厚係数は１．３、処理枚数は９枚であるから処理量は１．３×９＝１１．７となる。
【００８１】
制御手段１０において、目印選定手段１３は制御手段１０に制御され、タッチパネル５から入力された処理種別（裁断）と基準値換算手段１２が算出した処理量（１１．７枚）に基づき、記憶部２の処理装置テーブル９（図５）によって目印パターン１２（処理装置は装置Ｊ）を特定する（Ｓ３）。
【００８２】
さらに、目印選定手段１３は、特定した目印パターン１０の情報を、タッチパネル５から入力された処理位置である上に合わせて回転させることにより、画像形成時に目印パターンの向きが処理位置に適応するようにしておく。
【００８３】
制御手段１０において、目印位置決定手段１４は制御手段１０に制御され、タッチパネル５から入力された用紙の用紙サイズ種別（Ａ４）と記憶部２の用紙サイズテーブル８（図４）から用紙のサイズである幅×長さの情報、２１０ｍｍ×２９７ｍｍを特定する（Ｓ４）。
【００８４】
この情報と、さらにタッチパネル５から入力された処理位置（中央・横）とに基づいて、処理位置であるＡ４の用紙の中央において、用紙長さ２９７ｍｍの半分の位置を目印パターンの位置として算出する（Ｓ５）。
【００８５】
制御手段１０の画像処理手段１１は、以上Ｓ１〜Ｓ５の手順で決定された目印パターン及びその位置に従い、用紙の該当位置に当該目印パターンを形成する（Ｓ６）。このとき、スキャナ６で読み込んだ画像情報に基づいて用紙に画像形成も行う。
【００８６】
画像形成装置から排出された用紙には、読み込んだ原稿の画像が形成されている他、後に行うべき後処理の内容に基づいた目印が適当な位置に形成されている。本例では、Ａ４の用紙の中央に、図６に示すパターン１２を９０度回転させて横向きとした図１４のパターン種類に示す目印の破線が形成されているので、この目印の破線に沿って装置Ｊで用紙を裁断すればよいことが分かる。すなわち、業務用の大きな裁断装置である装置Ｊを１回使って目印である破線の位置を裁断すればよい。これは、ユーザ情報を入力して画像形成を行った本人でなくとも、画像形成された用紙を見れば、指示された後処理の内容を理解することができる。
【図面の簡単な説明】
【００８７】
【図１】図１は第１実施形態の画像形成装置のブロック図である。
【図２】図２は第１実施形態における処理対象情報を示す一覧図である。
【図３】図３は第１実施形態の画像形成装置の記憶部２に格納される用紙厚情報テーブルを示す図である。
【図４】図４は第１実施形態の画像形成装置の記憶部２に格納される用紙サイズ情報テーブルを示す図である。
【図５】図５は第１実施形態の画像形成装置の記憶部２に格納されるパターンテーブル（処理装置情報テーブル）を示す図である。
【図６】図６は第１実施形態におけるパターンの種類を示す図である。
【図７】図７は第１実施形態で画像形成された用紙に対して使用が予定される処理装置のプロフィールを示す一覧図である。
【図８】図８は第１実施形態におけるユーザ入力情報と処理結果と選択されるパターン種類を示す図である。
【図９】図９は第１実施形態における情報の処理手順を示す流れ図である。
【図１０】図１０は第２実施形態におけるユーザ入力情報と処理結果と選択されるパターン種類を示す図である。
【図１１】図１１は第３実施形態におけるユーザ入力情報と処理結果と選択されるパターン種類を示す図である。
【図１２】図１２は第４実施形態におけるユーザ入力情報と処理結果と選択されるパターン種類を示す図である。
【図１３】図１３は第５実施形態におけるユーザ入力情報と処理結果と選択されるパターン種類を示す図である。
【図１４】図１４は第６実施形態におけるユーザ入力情報と処理結果と選択されるパターン種類を示す図である。
【符号の説明】
【００８８】
１…入力部
２…記憶部
３…制御部
４…出力部
５…タッチパネル
６…スキャナ
７…第１の記憶部としての用紙厚テーブル
８…第２の記憶手段としての用紙サイズテーブル
９…第３の記憶手段としての処理装置テーブル
１０…制御手段
１１…画像処理手段
１２…基準値換算手段
１３…目印選定手段
１４…目印位置決定手段
１５…処理装置登録手段
【図１】
0005113613.tif 000002
【図２】
0005113613.tif 000003
【図３】
0005113613.tif 000004
【図４】
0005113613.tif 000005
【図５】
0005113613.tif 000006
【図７】
0005113613.tif 000007
【図８】
0005113613.tif 000008
【図９】
0005113613.tif 000009
【図１１】
0005113613.tif 000010
【図１４】
0005113613.tif 000011
【図６】
0005113613.tif 000012
【図１０】
0005113613.tif 000013
【図１２】
0005113613.tif 000014
【図１３】
0005113613.tif 000015